(57)【要約】【課題】金融機関等における印影登録の際に、登録対象の印影が登録印影として適さない印鑑による印影であるのか、登録印影として適する印鑑による印影であるのかを判断し、登録印影として適さない印鑑による印影の登録を抑止することが可能な印影登録プログラム、印影登録装置及び印影登録方法を提供すること。【解決手段】画像読取装置で読み取った媒体上に押印された印鑑の印影を印影画像データとして入力する印影入力手段、前記印影入力手段によって入力した印影画像データの画像ムラが所定レベルを下回るか否かを判断する印影画像一様性判断手段、前記印影画像一様性判断手段によって前記画像ムラが前記所定レベルを下回らなかったと判断された場合、前記印影入力手段によって入力した印影画像データを登録印影として登録する印影登録手段として、印影登録装置のコンピュータを機能させる。【選択図】図３
2013073478.tif 000002
【特許請求の範囲】
【請求項１】
印影登録装置のコンピュータを、
画像読取装置で読み取った媒体上に押印された印鑑の印影を印影画像データとして入力する印影入力手段、
前記印影入力手段によって入力した印影画像データの画像ムラが所定レベルを下回るか否かを判断する印影画像一様性判断手段、
前記印影画像一様性判断手段によって前記画像ムラが前記所定レベルを下回らなかったと判断された場合、前記印影入力手段によって入力した印影画像データを登録印影として登録する印影登録手段、
として機能させるための印影登録プログラム。
【請求項２】
前記コンピュータを、
前記印影入力手段によって入力した読取印画像データから円形状検出処理を用いて印鑑枠相当部分を抽出する印鑑枠抽出手段、
として更に機能させ、
前記印影画像一様性判断手段が、前記印鑑枠抽出手段によって抽出した印鑑枠相当部分の所定範囲について直線検出処理を用いて一定の直線性を有するか否かを判断することにより、前記画像ムラが前記所定レベルを下回るか否かを判断する、
ことを特徴とする請求項１に記載の印影登録プログラム。
【請求項３】
前記コンピュータを、
前記印影入力手段によって入力した読取印画像データから円形状検出処理を用いて印鑑枠相当部分を抽出する印鑑枠抽出手段、
前記印影入力手段によって入力した読取印画像データから前記印鑑枠抽出手段によって抽出された印鑑枠相当部分以外を文字相当部分として抽出する文字部分抽出手段、
として更に機能させ、
前記印影画像一様性判断手段が、前記文字部分抽出手段によって抽出した文字相当部分について画素密度算出処理を用いて一定の高密度性を有するか否かを判断することにより、前記画像ムラが前記所定レベルを下回るか否かを判断する、
ことを特徴とする請求項１に記載の印影登録プログラム。
【請求項４】
前記印影画像一様性判断手段によって前記画像ムラが前記所定レベルを下回ったと判断された場合、前記印影入力手段によって入力した印影画像データを登録印影として登録しないことを警告出力する警告出力手段、
として機能させるための請求項１乃至３の何れか１項に記載の印影登録プログラム。
【請求項５】
画像読取装置で読み取った媒体上に押印された印鑑の印影を印影画像データとして入力する印影入力手段と、
前記印影入力手段によって入力した印影画像データの画像ムラが所定レベルを下回るか否かを判断する印影画像一様性判断手段と、
前記印影画像一様性判断手段によって前記画像ムラが前記所定レベルを下回らなかったと判断された場合、前記印影入力手段によって入力した印影画像データを登録印影として登録する印影登録手段と、
を備えることを特徴とする印影登録装置。
【請求項６】
印影登録装置のコンピュータによって実行される印鑑登録方法であって、
画像読取装置で読み取った媒体上に押印された印鑑の印影を印影画像データとして入力し、
前記入力した印影画像データの画像ムラが所定レベルを下回るか否かを判断し、
前記画像ムラが前記所定レベルを下回らなかったと判断された場合、前記入力した印影画像データを登録印影として登録する、
ことを特徴とする印影登録方法。
【発明の詳細な説明】
【技術分野】
【０００１】
本発明は、銀行等の金融機関又は行政機関における顧客等の印鑑の印影登録を行うための印影登録プログラム、印影登録装置及び印影登録方法に関し、特に、印影登録に適さない所謂スタンプ印の印影を排除し、印影登録に適した所謂三文判又は実印の印影を登録するための印影登録プログラム、印影登録装置及び印影登録方法に関する。
【背景技術】
【０００２】
従来、紙文書の真正性を保証する手段として、印鑑の押印によって得られる印影（印章）が用いられている。例えば銀行において顧客が小切手などによる払い戻しを求める場合、小切手に押印されている印影がその登録印影と一致しているか否かを照合することにより、その小切手の真正性を確認する。近年、この照合には、コンピュータを利用した印影照合装置を使用している。
【０００３】
このような印影照合装置は、一般に、登録印影を電子ファイル装置等のメモリに登録している。そして、例えば小切手に押印された被照合印影を登録印影と照合する場合に、登録印影を電子ファイルから呼び出して表示画面に表示すると共に、自動搬送される小切手などの被照合印影を画像センサ等の読み取り手段を用いて電磁気的に読み取って（例えば、特許文献１参照。）表示画面に表示する。銀行員等は、これらの表示された両印影を画面上で見比べたり、あるいは両印影を画面上で重ね合わせたりして、その一致度を見ることにより両印影の同一性を判断している。一致性の判断をコンピュータに実行させることも可能である。
【０００４】
何れにしろ、印影登録に用いる印鑑は、押印の度に略同一形状の印影が形成されることが求められる。そのため、スタンプ印（例えば、特許文献２、３参照。）は、印影登録に用いる印鑑としては適していない。押印の際にスタンプ部のゴムが変形することにより印影が変形したり、ゴムの劣化により印影が変化したりするためである。
【０００５】
印影を照合するためには、予め印影を登録しておく必要がある。印影の登録は、例えば、登録するための印影を押印した印影票を画像データとして読取り、印影登録装置に接続された２次記憶媒体に印影票全体を一時保存する。その後、２次記憶媒体から保存された画像データを読み出し、登録印影と対応付けるための口座番号の入力や、画像切り出し処理を行い、印影登録装置に接続された電子ファイル装置に切り出した印影を登録する（例えば、特許文献４参照。）
【先行技術文献】
【特許文献】
【０００６】
【特許文献１】特開２０００−２５１０７２号公報
【特許文献２】特開２００１−２６０５０９号公報
【特許文献３】特開２００１−１７５２４１号公報
【特許文献４】特開平９−２４５１７０号公報
【発明の概要】
【発明が解決しようとする課題】
【０００７】
しかしながら、前述のような印影登録装置においては、画像データとして扱う印影が、スタンプ印等の登録印影として適さない印鑑による印影であるのか、三文判又は実印等の登録印影として適する印鑑の印影であるのか判断することができず、登録印影として適さない印影の登録を抑止することができない、という問題点があった。
【０００８】
本発明は、前述のような実状に鑑みたものであり、金融機関等における印影登録の際に、登録対象の印影が登録印影として適さない印鑑による印影であるのか、登録印影として適する印鑑による印影であるのかを判断し、登録印影として適さない印鑑による印影の登録を抑止することが可能な印影登録プログラム、印影登録装置及び印影登録方法を提供することを目的とする。
【課題を解決するための手段】
【０００９】
本発明は、上記課題を解決するため、下記のような構成を採用した。
すなわち、本発明の一態様によれば、本発明の印影登録プログラムは、印影登録装置のコンピュータを、画像読取装置で読み取った媒体上に押印された印鑑の印影を印影画像データとして入力する印影入力手段、前記印影入力手段によって入力した印影画像データの画像ムラが所定レベルを下回るか否かを判断する印影画像一様性判断手段、前記印影画像一様性判断手段によって前記画像ムラが前記所定レベルを下回らなかったと判断された場合、前記印影入力手段によって入力した印影画像データを登録印影として登録する印影登録手段として機能させるための印影登録プログラムである。
【００１０】
また、本発明の印影登録プログラムは、前記コンピュータを、前記印影入力手段によって入力した読取印画像データから円形状検出処理を用いて印鑑枠相当部分を抽出する印鑑枠抽出手段として更に機能させ、前記印影画像一様性判断手段が、前記印鑑枠抽出手段によって抽出した印鑑枠相当部分の所定範囲について直線検出処理を用いて一定の直線性を有するか否かを判断することにより、前記画像ムラが前記所定レベルを下回るか否かを判断することが望ましい。
【００１１】
また、本発明の印影登録プログラムは、前記コンピュータを、前記印影入力手段によって入力した読取印画像データから円形状検出処理を用いて印鑑枠相当部分を抽出する印鑑枠抽出手段、前記印影入力手段によって入力した読取印画像データから前記印鑑枠抽出手段によって抽出された印鑑枠相当部分以外を文字相当部分として抽出する文字部分抽出手段として更に機能させ、前記印影画像一様性判断手段が、前記文字部分抽出手段によって抽出した文字相当部分について画素密度算出処理を用いて一定の高密度性を有するか否かを判断することにより、前記画像ムラが前記所定レベルを下回るか否かを判断することが望ましい。
【００１２】
また、本発明の印影登録プログラムは、前記印影画像一様性判断手段によって前記画像ムラが前記所定レベルを下回ったと判断された場合、前記印影入力手段によって入力した印影画像データを登録印影として登録しないことを警告出力する警告出力手段として機能させることが望ましい。
【００１３】
また、本発明の一態様によれば、本発明の印影登録装置は、画像読取装置で読み取った媒体上に押印された印鑑の印影を印影画像データとして入力する印影入力手段と、前記印影入力手段によって入力した印影画像データの画像ムラが所定レベルを下回るか否かを判断する印影画像一様性判断手段と、前記印影画像一様性判断手段によって前記画像ムラが前記所定レベルを下回らなかったと判断された場合、前記印影入力手段によって入力した印影画像データを登録印影として登録する印影登録手段とを備えることを特徴とする。
【００１４】
また、本発明の一態様によれば、本発明の印影登録方法は、印影登録装置のコンピュータによって実行される印鑑登録方法であって、画像読取装置で読み取った媒体上に押印された印鑑の印影を印影画像データとして入力し、前記入力した印影画像データの画像ムラが所定レベルを下回るか否かを判断し、前記画像ムラが前記所定レベルを下回らなかったと判断された場合、前記入力した印影画像データを登録印影として登録することを特徴とする。
【発明の効果】
【００１５】
本発明は、登録印影として適さない印鑑による印影であるのか、登録印影として適する印鑑による印影であるのかを判断することにより、スタンプ印等の登録印影として適さない印鑑による印影の誤登録を防止することができ、銀行業務等のセキュリティの向上及び効率化を図ることができる、という効果を奏する。
【図面の簡単な説明】
【００１６】
【図１】本発明を適用した印影登録装置を備えるシステム構成図である。
【図２】本発明を適用した印鑑登録装置のハードウェア構成図である。
【図３】本発明を適用した印鑑登録装置の機能ブロック図である。
【図４】印鑑枠相当部分の直線性を説明するための図である。
【図５】文字相当部分の画素密度の高低を説明するための図である。
【図６】本発明を適用した印影登録処理の流れを示すフローチャートである。
【図７】印影登録処理のサブルーチン「印鑑枠直線性判別処理」の流れを示すフローチャートである。
【図８】直線性判別の具体例を説明するための図である。
【図９】印影登録処理のサブルーチン「印鑑文字部画素密度判別処理」の流れを示すフローチャートである。
【図１０】画素密度判別の具体例を説明するための図である。
【図１１】印影登録処理のサブルーチン「スタンプ印総合判別処理」の流れを示すフローチャートである。
【発明を実施するための形態】
【００１７】
以下、本発明の実施の形態について、図面を参照しながら詳細に説明する。
本発明は、印影登録に適さないスタンプ印等の印影の特徴、及び印影登録に適している三文判又は実印等の印影の特徴を解析し、スタンプ印等の印影であるか、三文判等の印影であるのかを判断することを特徴とする。
【００１８】
例えば、以下の特徴を抽出し、各要素の結果をポイント換算（重み付け）して、スタンプ印等の印影であるか否かの判断を行う。
（特徴１）スタンプ印等は、印影の枠部分、特に枠の上下左右の部分が直線的に構成されている。三文判等は、直線的でない。
（特徴２）スタンプ印等は、印影の文字部分の画像ムラが少ない。三文判等は、画像ムラが多い。
【００１９】
そして、各要素の解析結果をポイント換算して、一定以上の値が求まればスタンプ印等であるとしてみなし、印鑑登録を抑止する。具体的には、印影の枠部分の上下左右の所定領域を解析して、枠部分が直線で形成されていたならば、スタンプ印等であることを示すポイントを加算する。また、印影の枠部分の画像ムラを解析して、画像ムラが少なければ、スタンプ印等であることを示すポイントを加算する。
これは、スタンプ印等では、印影の画素密度が高い特徴があり、三文判等では、印影の画素密度が低い特徴があることを利用している。
【００２０】
図１は、本発明を適用した印影登録装置を備えるシステム構成図である。
図１において、印影登録システム１は、印影登録装置１０、印影登録装置１０と接続された画像読取装置２０及び登録印影データベース３０を備える。ここで、本発明の印影登録システム１は、例えば金融機関の届印の登録などに用いられている。
【００２１】
印影登録装置１０は、例えば、ワークステーション、サーバ、パーソナルコンピュータ等のコンピュータの機能を備えており、本発明を適用した印影登録処理を実行する。印影登録処理については、詳細を後述する。画像読取装置２０は、例えば、画像スキャナであり、印鑑の押印により印影が形成された印鑑票等を光学的に読み取り、読み取った画像データを印影登録装置１０に出力する。登録印影データベース３０は、例えば、ハードディスク装置であり、印影登録装置１０の印影登録処理によって登録印影として処理された画像データを口座番号等と対応づけて格納する。
【００２２】
図２は、本発明を適用した印鑑登録装置のハードウェア構成図である。
図２において、印鑑登録装置１０は、ＣＰＵ（Central Processing Unit）１１、入力装置１２、出力装置１３、ＲＯＭ（Read Only Memory）１４、ＲＡＭ（Random Access Memory）１５、インターフェース（Ｉ／Ｆ）１６がバス１７に接続されて構成されている。入力装置１２は、例えば、キーボード、ジョイスティック、ライトペン、マウス、タッチパッド、タッチパネル、トラックボール等、各種のデータや信号等を入力する。出力装置１３は、例えば、ＬＣＤ（Liquid Cristal Display）等の各種ディスプレイ、プリンタ等、画像やその他の情報を出力する。ＲＯＭ１４は、印鑑登録装置１０において実行する処理を実行するプログラムの他、印鑑登録装置１０の各機能を制御し実行するための制御プログラム及びテーブルデータなどを収納する。ＲＡＭ１５は、出力装置１３用のフレームバッファや一部のアプリケーションプログラム等を格納する。インターフェース１６は、ＵＳＢ（Universal Serial Bus）等のシリアルインターフェースやイーサネット（登録商標）等のパラレルインターフェース等、外部機器と接続するためのユニットである。ＣＰＵ１１は、これらの各部を制御している。
【００２３】
図３は、本発明を適用した印鑑登録装置の機能ブロック図である。図４は、印鑑枠相当部分の直線性を説明するための図である。図５は、文字相当部分の画素密度の高低を説明するための図である。
【００２４】
図３において、印鑑登録装置１０は、画像入力部１０１、印影抽出部１０２、印影出力部１０３、印鑑枠抽出部１０４、文字部分抽出部１０５、印影画像一様性判断部１０６、警告出力部１０７及び印影登録部１０８を備える。
【００２５】
画像入力部１０１は、画像スキャナ等で読み取った画像データを印影登録装置１０に入力する。印影抽出部１０２は、画像入力部１０１で入力された画像データから、印鑑票の押印枠等の印影以外の画像データを、公知の印影抽出処理を用いて除去し、印影のみの画像データを抽出する。これらの画像入力部１０１及び印影抽出部１０２が印影入力部として機能することで、画像読取装置２０で読み取った媒体上に押印された印鑑の印影を、印影画像データとして印影登録装置１０に入力する。なお、印影入力部は、既に押印枠等が除去され印影のみが抽出された画像データを、メモリから読み込んで印影登録装置１０に入力するようにしてもよい。
【００２６】
印影出力部１０３は、印影入力部によって入力した印影の画像データを、出力装置１３に出力する。例えば、ディスプレイの画面に表示する。
印影画像一様性判断部１０６は、後述する印鑑枠抽出部１０４によって抽出された印鑑枠相当部分、及び文字部分抽出部１０５によって抽出された文字相当部分の夫々の画像ムラが、所定レベルを下回るか否か、すなわち、画像ムラが予め定めたレベルよりも少ないか多いかを判断する。通常、登録印影として適さない印鑑であるスタンプ印等は、画像ムラが少ない。これに対して、登録印影として適する印鑑である三文判又は実印等は、スタンプ印等に比べて画像ムラが多くなる。スタンプ印等の印影に画像ムラが少ないのは、スタンプ印等が、インクを吸蔵する無数の連続気孔を有した多孔性印材を使用し、捺印時の押圧変形により気孔からインクを一様に吐き出しているからである。
【００２７】
印影登録部１０８は、前記印影画像一様性判断部１０６によって前記画像ムラが前記所定レベルを下回らなかったと判断された場合に、入力装置１２により入力された口座番号等と対応づけて登録印影データベース３０に登録印影として登録する。すなわち、前記印影入力部によって入力した印影画像データが、登録印影として適する印鑑である三文判又は実印等の印影であると判断された場合に、登録印影として登録する。
【００２８】
印鑑枠抽出部１０４は、スキャナ等の画像読取装置２０で読み取った画像データであって、帳票等の媒体に押印された読取印画像データから、前述のように押印枠を除去した画像データを対象にして、公知の円形状検出処理等の外枠検出処理を用いて印鑑枠相当部分を抽出する。すなわち、前記印影入力部によって入力した読取印画像データを対象にして、公知の円形状検出処理等の外枠検出処理を用いて印鑑枠相当部分を抽出する。抽出した印鑑枠相当部分の画像データは、ＲＭＡ１５に格納しておく。
【００２９】
そして、前記印影画像一様性判断部１０６が、前記印鑑枠相当部分の画像データをＲＡＭ１５から読み出し、印鑑枠相当部分の所定範囲について直線検出処理を用いて一定の直線性を有するか否かを判断する。例えば、図４中の破線で示したように、印鑑枠相当部分の上下左右４箇所の所定範囲について、直線性を有するか否かを判断してもよいし、更に斜めの４箇所を加えた８箇所の所定範囲について判断してもよい。直線性を有するか否かにより、前記画像ムラが前記所定レベルを下回るか否かを判断する。ここで、直線性を有するか否かは、二次元フィルタによって輪郭強調処理を行い、最小自乗近似によって直線を求めるアルゴリズムや、ハフ変換法により直線を求めるアルゴリズム等の公知のアルゴリズムを利用する。図４の（Ａ）に示すように、印鑑枠相当部分の所定範囲が一定の直線性を有する場合は、画像ムラが所定レベルを下回る（画像ムラが少ない）と判断する。これに対して、図４の（Ｂ）に示すように、印鑑枠相当部分の所定範囲が一定の直線性を有しない場合は、画像ムラが所定レベルを下回らない（画像ムラが多い）と判断する。
【００３０】
文字部分抽出部１０５は、前記印影入力部によって入力した読取印画像データから、前記印鑑枠抽出部１０４によって抽出された印鑑枠相当部分を除き、残った部分を文字相当部分として抽出する。抽出した文字相当部分の画像データは、ＲＭＡ１５に格納しておく。
【００３１】
そして、前記印影画像一様性判断部１０６が、文字相当部分の画像データをＲＡＭ１５から読み出し、文字相当部分について画素密度、すなわち、文字相当部分全体の画素に対する黒画素の割合を算出するための処理を実行する。そして、一定の高密度性を有するか否かを判断することにより、前記画像ムラが前記所定レベルを下回るか否かを判断する。図５の（Ａ）に示すように、文字相当部分が一定の密度性を有する（高密度である）場合は、画像ムラが所定レベルを下回る（画像ムラが少ない）と判断する。これに対して、図５の（Ｂ）に示すように、文字相当部分が一定の密度性を有しない（低密度である）場合は、画像ムラが所定レベルを下回らない（画像ムラが多い）と判断する。
【００３２】
警告出力部１０７は、前記印影画像一様性判断部１０６によって前記画像ムラが前記所定レベルを下回ったと判断された場合は、前記印影入力部によって入力した印影画像データを登録印影として登録しないことを警告するため、その旨を出力装置１３に出力する。
【００３３】
次に、前述のような構成の印影登録装置１０のコンピュータが実行する印刷登録処理について説明する。
図６は、本発明を適用した印影登録処理の流れを示すフローチャートである。
【００３４】
印影登録処理は、まず、前処理として、図３乃至図５を用いて説明したような処理、すなわち、画像入力部１０１、印影抽出部１０２、印鑑枠抽出部１０４及び文字部分抽出部１０５による処理を実行する。これにより、印影枠相当部分及び文字相当部分が抽出される。
【００３５】
そして、ステップＳ６０１において、印影の画像ムラが所定レベルを下回るか否かを判断するため、印影の印鑑枠相当部分についての直線性を判断するサブルーチン「印鑑枠直線性判別処理」を実行する。サブルーチン「印鑑枠直線性判別処理」の詳細については、図７及び図８を用いて後述する。
【００３６】
次に、ステップＳ６０２において、印影の画像ムラが所定レベルを下回るか否かを判断するため、印影の文字相当部分についての高密度性を判断するサブルーチン「印鑑文字部画素密度判別処理」を実行する。サブルーチン「印鑑文字部画素密度判別処理」の詳細については、図９及び図１０を用いて後述する。
【００３７】
そして、ステップＳ６０３において、ステップＳ６０１のサブルーチン「印鑑枠直線性判別処理」及びステップＳ６０２のサブルーチン「印鑑文字部画素密度判別処理」の結果に基づいて、印影登録に適さない印影を排除し、印影登録に適した印影のみを登録するサブルーチン「スタンプ印総合判別処理」を実行する。サブルーチン「スタンプ印総合判別処理」の詳細については、図１１を用いて後述する。
【００３８】
ここで、図６のステップＳ６０１のサブルーチン「印鑑枠直線性判別処理」について説明する。
図７は、印影登録処理のサブルーチン「印鑑枠直線性判別処理」の流れを示すフローチャートである。図８は、直線性判別の具体例を説明するための図である。
【００３９】
まず、ステップＳ７０１において、前述の前処理で抽出した印影枠相当部分を対象にして、図８の（Ｂ）に示すように、印影枠の円形の中心を通る縦線７１及び横線７２を求める。そして、ステップＳ７０２において、図８の（Ｂ）に示すように、印影枠の円形の中心を通る斜め４５度右上がり斜線７３及び斜め４５度右下がり斜線７４を求める。
【００４０】
次に、ステップＳ７０３において、ステップＳ７０１で求めた縦線７１及び横線７２と、ステップＳ７０２で求めた斜め４５度右上がり斜線７３及び斜め４５度右下がり斜線７４の４本の線が、印鑑枠の円周と接触する箇所（交点であるチェック点を含む所定領域）をチェック箇所（Ｎ箇所）とする。この場合、４本の線が円周と接触する８箇所をチェック箇所とする。具体的には、縦線７１が円周と接触するチェック領域８１及び８２、横線７２が円周と接触するチェック領域８３及び８４、斜め４５度右上がり斜線７３が円周と接触するチェック領域８５及び８６、斜め４５度右下がり斜線７４が円周と接触するチェック領域８７及び８８の８箇所である。
【００４１】
そして、これらの８箇所のチェック箇所のそれぞれについて、順に以下のステップＳ７０４及びステップ７０５を実行する。
まず、ステップＳ７０４において、チェック点を中心に、チェック箇所に応じた進行方向（円周のチェック点における接線方向）に対し、印鑑枠相当部分の直径の１０パーセント（％）のずつ（計２０％）のドット範囲をチェック対象とする。
【００４２】
そして、ステップＳ７０５において、ステップＳ７０４でチェック対象とした範囲について、直線性を判断し、直線性があると判断した場合には、登録印影として適さない印鑑であるスタンプ印等の印影である可能性が高いため、「スタンプ印直線性ポイント」を１加算する。直線性の判断は、前述したようにハフ変換法等を用いてもよいし、例えば、図８の（Ａ）に示したように、チェック箇所の外延の各ドット位置の座標（チェック点８３１の場合、Ｘ座標。チェック領域８１のチェック点であれば、Ｙ座標。）が、チェック点の座標（チェック点８３１のＸ座標）と同一であった場合、直線性があるとみなしてもよい。
【００４３】
全てのチェック領域についてステップＳ７０４及びステップＳ７０５を実行したら、サブルーチン「印鑑枠直線性判別処理」を終了する。
【００４４】
次に、図６のステップＳ６０２のサブルーチン「印鑑文字部画素密度判別処理」について説明する。
図９は、印影登録処理のサブルーチン「印鑑文字部画素密度判別処理」の流れを示すフローチャートである。図１０は、画素密度判別の具体例を説明するための図である。
【００４５】
まず、ステップＳ９０１において、スキャナ等で読み取った画像データであって、帳票等の媒体に押印された読取印画像データ（図１０の（Ａ）参照）から、前述のように押印枠を除去した画像データを対象にして、太さやサイズに基づいて、印鑑枠に相当する部分を除去し、文字相当部分を残す（図１０の（Ｂ）参照）。なお、このステップＳ９０１は、図６の印影登録処理において、ステップＳ６０１のサブルーチン「印鑑枠直線性判別処理」をスキップし、前述の前処理における印鑑枠抽出部１０４及び文字部分抽出部１０５による処理を実行しない場合のステップである。
【００４６】
次に、ステップＳ９０２において、文字相当部分を対象にして、図１０の（Ｂ）に示すように、文字を構成する画素の塊（文字構成塊）の数を求める。図１０の（Ｂ）に示した例では、文字構成塊９１、９２、９３、９４、９５の５つの文字構成塊が抽出される。文字構成塊の抽出は、例えば、入力された画像データを画素単位のマトリクス状のビットマップデータに変換し、黒画素の連結成分を１つの塊とするようなラベリングを行うことにより抽出する。
【００４７】
そして、これらの５つの文字構成塊のそれぞれについて、順に以下のステップＳ９０３、ステップＳ９０４、ステップ９０５及びステップＳ９０６を実行する。
まず、ステップＳ９０３において、例えばラプラシアンフィルタ等の公知のエッジ処理によって、文字構成塊のエッジを検出する。
【００４８】
そして、ステップＳ９０４において、ステップＳ９０３で検出されたエッジで囲まれた文字構成塊の面積を、白画素部分も含めて算出する。
次に、ステップＳ９０５において、ステップＳ９０３で検出されたエッジで囲まれた文字構成塊内の黒画素のドット数を求め、ステップＳ９０４で算出された面積に対する黒画素の割合、すなわち画素密度を算出する。
【００４９】
そして、ステップＳ９０６において、文字構成塊についての画素密度が所定値、例えば７５％以上であるか否かを判断し、所定値以上であれば、文字構成塊が高密度であると判断する。そして、高密度であると判断した場合には、登録印影として適さない印鑑であるスタンプ印等の印影である可能性が高いため、「スタンプ印画素密度ポイント」を１加算する。
【００５０】
全ての文字構成塊についてステップＳ９０３乃至ステップＳ９０６を実行したら、サブルーチン「印鑑枠直線性判別処理」を終了する。
次に、ステップＳ６０３のサブルーチン「スタンプ印総合判別処理」について説明する。
【００５１】
図１１は、印影登録処理のサブルーチン「スタンプ印総合判別処理」の流れを示すフローチャートである。
まず、ステップＳ１１０１において、図７のステップＳ７０５で累積加算した「スタンプ印直線性ポイント」を参照し、ステップＳ１１０２において、累積加算された「スタンプ印直線性ポイント」が所定値以上であるか否かを判断する。ここで、「スタンプ印直線性ポイント」と比較する所定値は、例えば、図７のチェック箇所が４箇所であれば「３ポイント」とし、８箇所であれば「５ポイント」乃至「７ポイント」が望ましい。
【００５２】
ステップＳ１１０２で所定値以上ではないと判断された場合は（ステップＳ１１０２：Ｎｏ）、ステップＳ１１０３において、図９のステップＳ９０６で累積加算された「スタンプ印画素密度ポイント」を参照し、ステップＳ１１０４において、文字構成塊に対する「スタンプ印画素密度ポイント」が所定割合以上の文字構成塊に存在するか否かを判断する。ここで、「スタンプ印画素密度ポイント」が存在するか否かを判断するための所定割合は、例えば、「５０％」乃至「７０％」が望ましい。
【００５３】
ステップＳ１１０４で所定割合以上の文字構成塊には「スタンプ印画素密度ポイント」が存在しないと判断された場合は（ステップＳ１１０４：Ｎｏ）、印影登録に適した三文判又は実印等の印影であると判断し、ステップＳ１１０５において、口座番号等と対応づけて登録印影データベース３０に登録印影として登録する。
【００５４】
他方、ステップＳ１１０２で所定値以上であると判断された場合（ステップＳ１１０２：Ｙｅｓ）、又はステップＳ１１０４で所定割合以上の文字構成塊に「スタンプ印画素密度ポイント」が存在すると判断された場合は（ステップＳ１１０４：Ｙｅｓ）、印影登録に適さないスタンプ印等であると判断し、ステップＳ１１０６において、登録印影として登録しないことを警告するため、その旨を出力装置１３に出力する。
【００５５】
以上、本発明の実施の形態を、図面を参照しながら説明してきたが、前述してきた本発明の実施の形態は、印影登録装置の一機能としてハードウェアまたはＤＳＰ（Digital Signal Processor）ボードやＣＰＵボードでのファームウェアもしくはソフトウェアにより実現することができる。
【００５６】
また、本発明が適用される印影登録装置は、その機能が実行されるのであれば、前述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００５７】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、印影登録装置に供給し、その印影登録装置のコンピュータがプログラムを読み出し実行することによっても、達成されることは言うまでもない。
【００５８】
この場合、可搬記録媒体等から読み出されたプログラム自体が本発明の新規な機能を実現することになり、そのプログラムを記録した可搬記録媒体等は本発明を構成することになる。
【００５９】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００６０】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００６１】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施の形態の機能が実現され得る。
【００６２】
すなわち、本発明は、以上に述べた実施の形態に限定されるものではなく、本発明の要旨を逸脱しない範囲内で種々の構成または形状を取ることができる。
【符号の説明】
【００６３】
１        印影登録システム
１０      印影登録装置
１１      ＣＰＵ（Central Processing Unit）
１２      入力装置
１３      出力装置
１４      ＲＯＭ（Read Only Memory）
１５      ＲＡＭ（Random Access Memory）
１６      インターフェース（Ｉ／Ｆ）
１７      バス
２０      画像読取装置
３０      登録印影データベース
７１      縦線
７２      横線
７３      斜め４５度右上がり斜線
７４      斜め４５度右下がり斜線
８１、８２、８３、８４、８５、８６、８７、８８  チェック領域
９１、９２、９３、９４、９５  文字構成塊
１０１    画像入力部
１０２    印影抽出部
１０３    印影出力部
１０４    印鑑枠抽出部
１０５    文字部分抽出部
１０６    印影画像一様性判断部
１０７    警告出力部
１０８    印影登録部
８３１    チェック点
【図１】
2013073478.tif 000003
【図２】
2013073478.tif 000004
【図３】
2013073478.tif 000005
【図６】
2013073478.tif 000006
【図７】
2013073478.tif 000007
【図９】
2013073478.tif 000008
【図１１】
2013073478.tif 000009
【図４】
2013073478.tif 000010
【図５】
2013073478.tif 000011
【図８】
2013073478.tif 000012
【図１０】
2013073478.tif 000013